(57)【特許請求の範囲】
【請求項１】
一対の縦枠間に互いに上下方向に並置された複数のスラットからなるブラインドと、スラットのそれぞれの端部を支持していると共に各縦枠に配された折り畳み自在なリンク機構と、一端部がリンク機構の上端部に連結された可撓性の長尺体と、この長尺体の他端部が連結されていると共に回転により長尺体を巻き取り、繰り出す回転体とを具備したブラインド装置を建物躯体の窓の室外側に設けてなると共に回転体を手動回転させる手動回転手段を具備しており、この手動回転手段は、建物躯体に取付けられた窓枠の部位を貫通したほぼ水平方向に伸びたロッドと、窓の室内側に位置するロッドの一端部に連結されていると共にロッドを手動操作で回転させることができる手動操作手段と、窓の室外側に位置するロッドの他端部の回転を回転体に伝達する回転伝達手段とを具備しており、手動操作手段は、窓の室内側に回転自在に垂れ下げてなる操作棒と、この操作棒の手動操作による回転をロッドの一端部に伝達する伝達機構とを具備しており、伝達機構は、一端部側が操作棒の上端部に、他端部側がロッドの一端部に連結されている自在継手手段を具備しており、自在継手手段は、ロッド及び操作棒に対して傾斜して窓枠に回転自在に支持された本体と、この本体の一方の端部と操作棒の上端部とを連結する一方の自在継手と、本体の他方の端部とロッドの一端部とを連結する他方の自在継手とを具備しているブラインド装置と窓枠との構造。
【請求項２】
一対の縦枠間に互いに上下方向に並置された複数のスラットからなるブラインドと、スラットのそれぞれの端部を支持していると共に各縦枠に配された折り畳み自在なリンク機構と、一端部がリンク機構の上端部に連結された可撓性の長尺体と、この長尺体の他端部が連結されていると共に回転により長尺体を巻き取り、繰り出す回転体とを具備したブラインド装置を建物躯体の窓の室外側に設けてなると共に回転体を手動回転させる手動回転手段を具備しており、この手動回転手段は、建物躯体に取付けられた窓枠の部位を貫通したほぼ水平方向に伸びたロッドと、窓の室内側に位置するロッドの一端部に連結されていると共にロッドを手動操作で回転させることができる手動操作手段と、窓の室外側に位置するロッドの他端部の回転を回転体に伝達する回転伝達手段とを具備しており、手動操作手段は、窓の室内側に走行自在に垂れ下げてなる紐状体と、この紐状体の手動操作による走行をロッドの一端部に伝達する伝達機構とを具備しており、伝達機構は、紐状体が掛け回されると共に紐状体の走行により回転されるプーリと、プーリの回転を減速してロッドの一端部に伝達する減速機構とを具備しており、プーリは、窓枠にハウジングを介して回転自在に支持された回転軸に固着されており、減速機構は、回転軸に固着された小歯車と、この小歯車に噛合ってロッドの一端部に固着された大歯車とを具備しているブラインド装置と窓枠との構造。
【請求項３】
紐状体は、玉チェーン、紐、ワイヤ又はベルトである請求項２に記載のブラインド装置と窓枠との構造。
【請求項４】
回転伝達手段は、回転体を支持する回転軸に固着された一方のベベルギヤと、このベベルギヤに噛合うと共にロッドの他端部に固着された他方のベベルギヤとを具備している請求項１から３のいずれか一項に記載のブラインド装置と窓枠との構造。
【請求項５】
回転伝達手段は、回転体を支持する回転軸に固着された一方のベベルギヤと、このベベルギヤに噛合う他方のベベルギヤと、一端部側が他方のベベルギヤに、他端部側がロッドの他端部に連結されている自在継手とを具備している請求項１から３のいずれか一項に記載のブラインド装置と窓枠との構造。
【請求項６】
窓枠は上枠を具備しており、ロッドは、上枠の部位を通っている請求項１から５のいずれか一項に記載のブラインド装置と窓枠との構造。
【請求項７】
窓枠は、上枠と、この上枠の下面に一体的に形成された障子レールとを具備しており、ロッドは、障子レールの部位を通っている請求項１から５のいずれか一項に記載のブラインド装置と窓枠との構造。
【請求項８】
請求項１から７のいずれか一項に記載のブラインド装置と窓枠との構造に用いる窓枠であって、ロッドを通らせる貫通孔又は凹所をその上枠、上枠に設けられた障子レール又はその縦枠に形成してなる窓枠。
【請求項９】
請求項１から７のいずれか一項に記載のブラインド装置と窓枠との構造を具備した建物。
【発明の詳細な説明】
【０００１】
【発明の属する技術分野】
本発明は、戸建住宅又は集合住宅等の建物の窓等に配置し、必要に応じてこれら窓等の目隠しをするブラインド装置と窓枠との構造に関する。
【０００２】
【発明が解決しようとする課題】
この種のブラインド装置は、通常、上下方向に並置された複数のスラットからなるブラインドを上方に配置し、昇降装置の作動により当該ブラインドを上方から下降させて建物の窓等の開口部を目隠しし、昇降装置の逆作動によりブラインドを上昇させて開口部を開口（開放）するように、構成されている。
【０００３】
ところで斯かるブラインド装置では、開口部を開口した場合にスラットを収容する収容部を建物の開口部の上方に配置するために、収容部により建物の開口部の開口の程度が低減されることになり、したがって、ブラインドを上昇させて開口部を開口しても、十分な開放感を得られない場合がある。そこで、開口部の開口の際には、ブラインドを下方に配置し、開口部の閉口（閉鎖）の際には、ブラインドの上端を持上げるようにしたブラインド装置が提案されている。
【０００４】
この提案に係るブラインド装置では、建物の開口部の上方に配される収容部を省き得るために、開口部の開口の際に十分な開放感を得られて極めて好ましいのであるが、ブラインドを上昇させる手動操作可能な例えば玉チェーンは、建物躯体に手を加えるのを回避するために、通常、窓の障子の外に配されている結果、ブラインドによる開口部の開閉に際しては、障子を一旦開口して玉チェーンを手動操作せざるを得ない。
【０００５】
しかるに、ブラインドによる開口部の開閉の度に障子を開口することは極めて面倒である上に、空調、暖房、冷房等を室内に施している場合にはこれらが無駄になり、しかも、障子の外側に玉チェーンが垂れ下がっていると、防犯上においても好ましくはない。
【０００６】
本発明は、前記諸点に鑑みてなされたものであって、その目的とするところは、障子を開閉しなくてもブラインドによる開口部の開閉を行い得、しかも、建物躯体に追加的に手を加えなくても簡単に設置することができるブラインド装置と窓枠との構造を提供することにある。
【０００７】
【課題を解決するための手段】
本発明のブラインド装置と窓枠との構造は、一対の縦枠間に互いに上下方向に並置された複数のスラットからなるブラインドと、スラットのそれぞれの端部を支持していると共に各縦枠に配された折り畳み自在なリンク機構と、一端部がリンク機構の上端部に連結された可撓性の長尺体と、この長尺体の他端部が連結されていると共に回転により長尺体を巻き取り、繰り出す回転体とを具備したブラインド装置を建物躯体の窓の室外側に設けてなると共に回転体を手動回転させる手動回転手段を具備しており、ここで、手動回転手段は、建物躯体に取付けられた窓枠の部位を貫通したほぼ水平方向に伸びたロッドと、窓の室内側に位置するロッドの一端部に連結されていると共にロッドを手動操作で回転させることができる手動操作手段と、窓の室外側に位置するロッドの他端部の回転を回転体に伝達する回転伝達手段とを具備しており、手動操作手段は、窓の室内側に回転自在に垂れ下げてなる操作棒と、この操作棒の手動操作による回転をロッドの一端部に伝達する伝達機構とを具備しており、伝達機構は、一端部側が操作棒の上端部に、他端部側がロッドの一端部に連結されている自在継手手段を具備しており、自在継手手段は、ロッド及び操作棒に対して傾斜して窓枠に回転自在に支持された本体と、この本体の一方の端部と操作棒の上端部とを連結する一方の自在継手と、本体の他方の端部とロッドの一端部とを連結する他方の自在継手とを具備している。
。
【０００８】
また、本発明のブラインド装置と窓枠との構造は、一対の縦枠間に互いに上下方向に並置された複数のスラットからなるブラインドと、スラットのそれぞれの端部を支持していると共に各縦枠に配された折り畳み自在なリンク機構と、一端部がリンク機構の上端部に連結された可撓性の長尺体と、この長尺体の他端部が連結されていると共に回転により長尺体を巻き取り、繰り出す回転体とを具備したブラインド装置を建物躯体の窓の室外側に設けてなると共に回転体を手動回転させる手動回転手段を具備しており、ここで、手動回転手段は、建物躯体に取付けられた窓枠の部位を貫通したほぼ水平方向に伸びたロッドと、窓の室内側に位置するロッドの一端部に連結されていると共にロッドを手動操作で回転させることができる手動操作手段と、窓の室外側に位置するロッドの他端部の回転を回転体に伝達する回転伝達手段とを具備しており、手動操作手段は、窓の室内側に走行自在に垂れ下げてなる紐状体と、この紐状体の手動操作による走行をロッドの一端部に伝達する伝達機構とを具備しており、伝達機構は、紐状体が掛け回されると共に紐状体の走行により回転されるプーリと、プーリの回転を減速してロッドの一端部に伝達する減速機構とを具備しており、プーリは、窓枠にハウジングを介して回転自在に支持された回転軸に固着されており、減速機構は、回転軸に固着された小歯車と、この小歯車に噛合ってロッドの一端部に固着された大歯車とを具備している。
【０００９】
本発明のブラインド装置と窓枠との構造によれば、手動操作手段を手動操作することにより回転体を回転させて長尺体を巻き取り、繰り出し、この長尺体の巻き取り、繰り出しによりリンク機構の上端部を上昇、下降させて、ブラインドによる開口部の閉口、開口を行うようになっており、しかも、手動回転手段が建物躯体に取付けられた窓枠の部位を貫通したロッドと、窓の室内側に位置するロッドの一端部に連結されていると共にロッドを手動操作で回転させることができる手動操作手段とを具備しているために、窓枠に設置された障子を開閉しなくても、手動操作手段を介してロッドを回転させてブラインドによる開口部の開閉を行い得、その上、建物躯体に追加的に手を加えなくても設置することができる。
【００１０】
本発明において、紐状体は、玉チェーン、紐、ワイヤ又はベルトであるとよく、最も好ましくは玉チェーンである。
【００１１】
本発明において、回転伝達手段は、回転体を支持する回転軸に固着された一方のベベルギヤと、このベベルギヤに噛合うと共にロッドの他端部に固着された他方のベベルギヤとを具備していてもよく、また、回転体を支持する回転軸に固着された一方のベベルギヤと、このベベルギヤに噛合う他方のベベルギヤと、一端部側が他方のベベルギヤに、他端部側がロッドの他端部に連結されている自在継手とを具備していてもよい。
【００１２】
本発明におけるロッドは、窓枠の部位を貫通していればよいのであるが、好ましくは、上枠を具備した窓枠において、当該窓枠の上枠の部位を通って窓枠の部位を貫通していてもよく、また、上枠とこの上枠の下面に一体的に形成された障子レールとを具備した窓枠において、当該窓枠の障子レールの部位を通って窓枠の部位を貫通していてもよい。
【００１３】
次に本発明を、図に示す実施の形態の好ましい例を参照して更に詳細に説明する。なお、本発明はこれら例に何等限定されないのである。
【００１４】
【発明の実施の形態】
図１から図７において、本例のブラインド装置１は、一対の縦枠２及び３間に互いに上下方向に並置された複数のスラット４からなるブラインド５と、スラット４のそれぞれの長手方向の端部６を支持していると共に縦枠２及び３内に配された折り畳み自在なリンク機構７（縦枠３側は図示せず、以下同じ）と、リンク機構７を介してスラット４のそれぞれを傾動させるべく、リンク機構７に連結されたチルト機構１０（縦枠３側は図示せず、以下同じ）と、下端部が終端機構８（同じく縦枠３側は図示せず、以下同じ）を介して縦枠２及び３の夫々に連結されたリンク機構７の上端部をチルト機構１０を介して持上げて、ブラインド５を閉口位置に配するリンク持上げ機構９とを具備している。
【００１５】
縦枠３並びに縦枠３側のリンク機構、終端機構及びチルト機構等の夫々は、縦枠２並びに縦枠２側のリンク機構７、終端機構８及びチルト機構１０等の夫々と同様に構成されているため、以下主に縦枠２側について説明し、必要に応じて縦枠３側について説明する。
【００１６】
縦枠２と縦枠３とは、上枠１５により橋絡されて、ブラインド５により開口、閉口される開口部１６を形成している。縦枠２には、上下方向に伸びるスリット１７が形成されており、縦枠２と縦枠３との間には、上枠１５に取付けられたカバー部材６７が配されている。
【００１７】
スラット４のそれぞれは、開口部１６を閉口した際に外部に露出される大樋状部２１と、開口部１６を閉口した際に上段の大樋状部２１の下端側に重合される小樋状部２２とを一体的に有しており、大樋状部２１の下端部にシール部材２３が嵌装されてなる。
【００１８】
リンク機構７は、複数の縦リンク部材２５が軸ピン２６を介して互いに回動自在に直列に連結されてなる縦リンク列２７と、縦リンク列２７と同様に、複数の縦リンク部材２８が軸ピン２９を介して互いに回動自在に直列に連結されて、縦リンク列２７に並設されてなる縦リンク列３０と、一端部が一個おきの軸ピン２６を介して縦リンク列２７に、他端部が一個おきの軸ピン２９を介して縦リンク列３０にそれぞれ回動自在に連結された複数の横リンク部材３１からなる横リンク列３２とを具備しており、スラット４のそれぞれの端部６は、横リンク部材３１に、スリット１７を通る取付具３３により固定して連結されている。なお、縦リンク列２７及び３０の折り畳み方向を規定すべく、縦リンク部材２５及び２８には阻止片３４が一体的に設けられている。
【００１９】
終端機構８は、一端で横リンク列３２の最下位の横リンク部材３１に軸ピン（図示せず）を介して回動自在に連結されたリンク部材４１と、一端でリンク部材４１の他端に軸ピン４２を介して回動自在に連結されたリンク部材４３と、リンク部材４３の他端が軸ピン４４を介して回動自在に連結されていると共に、縦枠２の底壁４５に固着されている基部材４６とを具備しており、斯かる終端機構８を介してリンク機構７の下端部が縦枠２に連結されている。
【００２０】
終端機構８におけるリンク部材４１又は４３を伸縮自在なコイルばね等で構成して、斯かるコイルばね等によりリンク機構７の下端部が若干上下変位可能になるようにすると共に、リンク機構７が伸張した場合にリンク機構７を全体的に下方に弾性的に引っ張るようにしてもよい。
【００２１】
リンク持上げ機構９は、縦枠２に軸５１を介して回転自在に支持された転向ローラ５２と、縦枠２及び３を橋絡して且つ両端で当該縦枠２及び３にＲ１及びＲ２方向に回転自在に支持された回転軸５３と、回転軸５３に固着されていると共に当該回転軸５３を介して縦枠２に回転自在に支持された回転体としてのプーリ５４と、一端部である繰り出し端が直動自在部材５０の板状の本体５５に連結されてリンク機構７の上端部に連結されていると共に、転向ローラ５２に掛け回されて他端部がプーリ５４に連結され且つ当該プーリ５４に巻き付けられて、プーリ５４のＲ１方向の回転で当該プーリ５４に巻き取られ、プーリ５４のＲ２方向の回転で当該プーリ５４から繰り出されるようになっている可撓性の長尺体としての金属製のベルト５６と、回転軸５３に固着されたプーリ５４を手動回転させる手動回転手段５７とを具備している。
【００２２】
リンク持上げ機構９は、縦枠２側の転向ローラ５２、プーリ５４及び金属製のベルト５６と同様に構成された転向ローラ５２ａ、プーリ５４ａ、金属製のベルト５６ａを縦枠３側にも具備しており、プーリ５４ａは、縦枠３側において回転軸５３の端部に固着されている。
【００２３】
手動回転手段５７は、例えば図２に示すように建物躯体８５に取付けられた窓枠８１の上枠９１の部位を貫通したほぼ水平方向に伸びたロッド６１と、窓８２の室内側８６に位置するロッド６１の一端部６２に連結されていると共にロッド６１を手動操作で回転させることができる手動操作手段６３と、窓８２の室外側８３に位置するロッド６１の他端部６４の回転をプーリ５４に伝達する回転伝達手段６５と、ブラインド５及びリンク機構７等の自重によっては回転軸５３を回転させないようにする一方、手動回転手段５７の手動操作によるロッド６１の回転では回転軸５３の回転を許容する程度の制動を本例ではベベルギヤ８４を介して回転軸５３に与える制動機構６６とを具備している。
【００２４】
ロッド６１は、カバー部材６７に取付けられた軸受６８にその他端部６４でＲ３及びＲ４方向に回転自在に支持されている。
【００２５】
手動操作手段６３は、窓８２の室内側８６に回転自在に垂れ下げてなる操作棒６９と、操作棒６９の手動操作による回転をロッド６１の一端部６２に伝達する伝達機構７０とを具備している。
【００２６】
操作棒６９は、把持部７１及び７２と、曲折部７３とを具備しており、把持部７１及び７２を把持して把持部７２を回転させることにより全体をＲ５及びＲ６方向に回転させることができるようになっている。
【００２７】
伝達機構７０は、一端部側が操作棒６９の上端部７４に、他端部側がロッド６１の一端部６２に連結されている自在継手手段７５を具備しており、自在継手手段７５は、例えば図２に示すように上枠９１の垂下部７６に取付けられた支持部材７７に回転自在に支持されることによってロッド及び操作棒に対して傾斜して当該窓枠８１に回転自在に支持された本体７８と、本体７８の一方の端部と操作棒６９の上端部７４とを連結する自在継手（ユニバーサルジョイント）７９と、本体７８の他方の端部とロッド６１の一端部６２とを連結する自在継手（ユニバーサルジョイント）８０とを具備している。
【００２８】
自在継手手段７５は、自在継手７９及び８０により、操作棒６９のＲ５及びＲ６方向の回転をＲ３及びＲ４方向の回転としてロッド６１に伝達するようになっている。
【００２９】
回転伝達手段６５は、プーリ５４を支持する回転軸５３に固着されたベベルギヤ８４と、ベベルギヤ８４に噛合うと共にロッド６１の他端部６４に固着されたベベルギヤ８７とを具備しており、ロッド６１のＲ３及びＲ４方向の回転を減速して回転軸５３にＲ１及びＲ２方向の回転として伝達するようになっている。
【００３０】
制動機構６６は、回転軸５３に回転自在に挿着された制動円板８８と、制動円板８８をベベルギヤ８４の一方の面に弾性的に押し付けるように、制動円板８８と縦枠２との間に配された弾性手段としてのコイルばね８９とを具備しており、コイルばね８９による制動円板８８のベベルギヤ８４の一方の面への弾性的な摩擦接触で、ブラインド５及びリンク機構７等の自重によってはベベルギヤ８４を介して回転軸５３をＲ１及びＲ２方向に回転させないようにする一方、手動回転手段５７の手動操作によるロッド６１のＲ３及びＲ４方向の回転では回転軸５３のＲ１及びＲ２方向の回転を許容する程度の制動をベベルギヤ８４を介して回転軸５３に与えるようになっている。なお、制動円板８８及びコイルばね８９を収容すると共に制動円板８８及びコイルばね８９を保持する円筒状の案内保持部材９０が縦枠２に固着されて設けられている。
【００３１】
手動回転手段５７は、室内側８６での操作棒６９の手動操作によるＲ５及びＲ６方向の回転で、自在継手手段７５を介してロッド６１をＲ３及びＲ４方向に回転させ、ロッド６１のＲ３及びＲ４方向の回転で、回転伝達手段６５を介して回転軸５３をＲ１及びＲ２方向に回転させ、これにより、プーリ５４（縦枠３側のプーリ５４ａも同様）をＲ１及びＲ２方向に手動回転させるようになっており、プーリ５４は、Ｒ１方向の回転では、ベルト５６を巻き取り、Ｒ２方向の回転では、ベルト５６を繰り出すようになっている。
【００３２】
以上のリンク持上げ機構９は、操作棒６９のＲ５方向の回転でプーリ５４をベルト５６の巻き取り方向に回転させて、これによりリンク機構７の上端部をチルト機構１０を介して持上げ、ブラインド５を閉口位置に配するようになっていると共に、操作棒６９のＲ６方向の回転でプーリ５４をベルト５６の繰り出し方向に回転させて、これによりリンク機構７の上端部の下降を許容して、ブラインド５を開口位置に配するようになっている。
【００３３】
チルト機構１０は、縦枠２に直動自在、すなわち上下動自在に案内されると共に、軸心１３１を中心とするＲ７方向の回動が縦枠２によって規制されており、且つ、一方では横リンク部材３１のうちで最上位の横リンク部材１３２が軸心１３１を中心とするＲ７及びＲ８方向に回動自在に、他方ではリンク持上げ機構９が夫々連結されてなる前述の直動自在部材５０と、最上位の横リンク部材１３２に取付けられた取付部材１３３と、一端１３４が直動自在部材５０の本体５５に、他端１３５が取付部材１３３を介して最上位の横リンク部材１３２に夫々連結されており、当該最上位の横リンク部材１３２に弾性的なＲ７方向の回動力を与える弾性部材としてのコイルばね１３６と、最上位の横リンク部材１３２の開口部１６の上方での上昇に際して、コイルばね１３６の弾性的なＲ７方向の回動力に抗して最上位の横リンク部材１３２を逆のＲ８方向に強制的に回動させる逆強制回動機構１３７とを具備している。
【００３４】
直動自在部材５０は、板状の本体５５と、本体５５に上下方向に並んで一体的に設けられた鍔１４０付の二個の突起１３８とを具備しており、本体５５の上端部にはベルト５６の繰り出し端が固着されており、本体５５の下端部は、軸部材１３９により横リンク部材１３２及び取付部材１３３に軸心１３１を中心としてＲ７及びＲ８方向に相対的に回動自在となるように連結されており、こうして、本体５５は、一方では最上位の横リンク部材１３２がＲ７及びＲ８方向に回動自在に、他方ではリンク持上げ機構９が夫々連結されてなり、而して、直動自在部材５０は、最上位の横リンク部材１３２に軸部材１３９を介してＲ７及びＲ８方向に相対的に回動自在に連結されており、突起１３８は、縦枠２の縦方向に伸びるスリット１７に上下方向に摺動自在に挿通されており、直動自在部材５０の本体５５は、スリット１７とスリット１７に挿通された二個の突起１３８とにより、その上下動が案内されると共に、軸心１３１を中心とするＲ７及びＲ８方向のその回動が規制されるようになっている。各突起１３８の鍔１４０は、スリット１７から突起１３８が抜け出るのを防止している。
【００３５】
取付部材１３３は、一端部では軸ピン２６を介して、他端部では軸ピン２９を介して横リンク部材１３２に取付けられており、横リンク部材１３２の軸心１３１を中心とするＲ７及びＲ８方向の回動と共に、同じく軸心１３１を中心としてＲ７及びＲ８方向に回動されるようになっており、こうして最上位の横リンク部材１３２に取付けられた取付部材１３３を介してコイルばね１３６の他端１３５は、最上位の横リンク部材１３２に連結されている。
【００３６】
なお、弾性部材として、コイルばね１３６を用いる代わりにぜんまいばねを用いる場合には、一端を最上位の横リンク部材１３２に、他端を本体５５に夫々連結して、軸心１３１の回り、例えば軸部材１３９の回りに配するとよい。
【００３７】
逆強制回動機構１３７は、最上位の横リンク部材１３２に軸ピン２６を介して回転自在に設けられたカムローラ１７１と、最上位の横リンク部材１３２の開口部１６上方での上昇に際して、カムローラ１７１が当接するように、縦枠２に設けられた案内カム面１７２とを具備しており、案内カム面１７２は、本例では縦枠２に取付けられた突起１７３の外面からなる。
【００３８】
チルト機構１０は、図２及び図４に示すブラインド５による開口部１６の閉口状態で、操作棒６９のＲ６方向の回転でベルト５６が繰り出される場合、最上位の横リンク部材１３２の下降により、図９に示すようにカムローラ１７１と案内カム面１７２との互いの当接が解除されて、コイルばね１３６の弾性的なＲ７方向の回動力により最上位の横リンク部材１３２を強制的にＲ７方向に回動させ、逆に、図１１に示すブラインド５による開口部１６の開口状態で、操作棒６９のＲ５方向の回転でベルト５６が巻き取られる場合、カムローラ１７１の突起１７３への当接に基づく案内カム面１７２への案内当接で、コイルばね１３６の弾性的なＲ７方向の回動力に抗して最上位の横リンク部材１３２に逆のＲ８方向の回動を生じさせ、而して、リンク機構７を介してスラット４のそれぞれを、図１１に示す状態から図１０に示す状態を経由して図８に示す状態のように又は図８に示す状態から図２及び図４に示す状態のように傾動させるようになっている。
【００３９】
以上のように、一対の縦枠２及び３間に互いに上下方向に並置された複数のスラット４からなるブラインド５と、スラット４のそれぞれの端部６を支持しており、縦枠２及び３の夫々に配された折り畳み自在なリンク機構７と、一端部がリンク機構７の上端部に連結された可撓性の長尺体としての金属製のベルト５６と、ベルト５６の他端部が連結されていると共に回転によりベルト５６を巻き取り、繰り出す回転体としてのプーリ５４とを具備したブラインド装置１は、窓枠８１が配された窓８２の室外側８３に、戸建住宅又は集合住宅の建物躯体８５に公知の手段で取付けられて設けられ、操作棒６９は、窓８２の室内側８６に垂れ下げられている。
【００４０】
本例では、窓枠８１は、上枠９１と、上枠９１の下面に一体的に形成された障子レール９２と、図示しないが下枠、一対の縦枠及び下枠の上面に一体的に形成された障子レールとを具備しており、上枠９１は、建物躯体８５に固着されており、下枠及び一対の縦枠も同様に建物躯体８５に固着されており、障子レール９２及び下枠の障子レール間に窓ガラスからなる障子９３が移動自在に嵌め込まれている。
【００４１】
上枠９１には貫通孔９４及び９５が形成されており、貫通孔９４及び９５を通ってロッド６１及び自在継手８０が配されている。
【００４２】
ブラインド装置１では、開口部１６の開口においては、縦リンク列２７及び３０は折り畳まれており、図１１に示すようにスラット４のそれぞれは開口部１６の下方に互いに密に重合されて（束ねられて）いる。
【００４３】
ブラインド装置１における開口部１６の閉口に際しては、まず、操作棒６９をＲ５方向に回転し、自在継手７９、８０、ロッド６１、ベベルギヤ８７、８４及び回転軸５３を介してプーリ５４をＲ１方向に回転し、これによりベルト５６をプーリ５４に巻き込んで、最上位の横リンク部材１３２を上昇させる。横リンク部材１３２の上昇により、縦リンク列２７及び３０もその上端部側から伸長され、而して横リンク列３２の横リンク部材３１も上方側から上方に持上げられる結果、横リンク部材１３２を含む横リンク部材３１に固定されたスラット４のそれぞれは、順次、開口部１６の閉口方向に持上げられる。図９に示すように、突起１７３に当接しない位置にカムローラ１７１が位置している際には、スラット４がほぼ水平方向の傾動状態に保持されるように、縦リンク列２７及び３０並びに横リンク列３２等が形成されている。
【００４４】
更に、ベルト５６のプーリ５４への巻き込みにより縦リンク列２７及び３０が伸長されて、ブラインド５の開口部１６の途中閉口位置、本例では開口部１６の完全閉口直前位置で、図６に示すように、カムローラ１７１が突起１７３に当接して案内カム面１７２に案内され始めると、最上位の横リンク部材１３２のＲ８方向の回動で縦リンク列２７に対して縦リンク列３０がより持上げられるようになり、これによりスラット４が図８に示すように回動され、順次垂直方向の傾動状態に設定される。更に、最上位の横リンク部材１３２のＲ８方向の回動と縦リンク列３０の持上げで、図４に示すようにスラット４がほぼ垂直方向の傾動状態に保持されて、開口部１６が完全目隠しされた状態でブラインド５により全閉（完全閉口）される。その後、操作棒６９のＲ５方向の回転によるプーリ５４の回転が停止されて、ブラインド５による開口部１６の閉口動作が完了する。
【００４５】
ブラインド５による開口部１６の開口においては、操作棒６９をＲ６方向に回転させてロッド６１をＲ４方向に回転すると、この回転の助力とスラット４等の自重とによりプーリ５４が前記と逆のＲ２方向に回転されて、図４、図８、図１０及び図１１に示すように、この順番で縦リンク列２７及び３０等が作動される。
【００４６】
以上のブラインド装置１と窓枠８１との構造によれば、操作棒６９を手動操作することによりプーリ５４を回転させてベルト５６を巻き取り、繰り出し、ベルト５６の巻き取り、繰り出しによりリンク機構７の上端部を上昇、下降させて、ブラインド５による開口部１６の閉口、開口を行うようになって、しかも、操作棒６９が窓８２の室内側８６に垂れ下げられているために、窓枠８１に設置された障子９３を開閉しなくてもブラインド５による開口部１６の開閉を行い得、その上、貫通孔９４及び９５が形成された窓枠８１を用いるだけで、特に建物躯体８５に追加的に手を加えなくても設置することができる。
【００４７】
また、本例のブラインド装置１によれば、チルト機構１０によりスラット４のそれぞれを傾動させて、開口部１６の完全閉口と開口部１６の簾状態の閉口とを選択的に行うことができる上に、チルト機構１０が最上位の横リンク部材１３２に弾性的なＲ７方向の回動力を与えるコイルばね１３６を具備しているために、逆強制回動機構１３７により最上位の横リンク部材１３２が逆のＲ８方向に強制的に回動された後に、再びブラインド５を開口位置に移行させるべく、最上位の横リンク部材１３２を下降させる際に、最上位の横リンク部材１３２をコイルばね１３６の弾性的な回動力によりＲ７方向に強制的に回動させることができる結果、スラット４の水平状態への移行を低コストで且つ高い信頼度をもって行わせることができる。
【００４８】
上記のブラインド装置１と窓枠８１との構造では、操作棒６９を具備した手動操作手段６３を用いたが、これに代えて、図１２に示すように、窓８２の室内側８６にＶ１及びＶ２方向に走行自在に垂れ下げてなる紐状体としての無端の玉チェーン２０１と、玉チェーン２０１の手動操作によるＶ１及びＶ２方向の走行をロッド６１の一端部６２に伝達する伝達機構２０２とを具備している手動操作手段６３を用いてもよい。
【００４９】
図１２において、伝達機構２０２は、玉チェーン２０１が掛け回されると共に玉チェーン２０１のＶ１及びＶ２方向の走行により回転されるプーリ２０３と、プーリ２０３の回転を減速してロッド６１の一端部６２に伝達する減速機構２００とを具備しており、プーリ２０３は、ハウジング２０４に回転自在に支持された回転軸２０５に固着されており、ハウジング２０４は、上枠９１に固着されて取付けられており、減速機構２００は、ハウジング２０４内に回転自在に配されていると共に回転軸２０５に固着された小歯車２０６と、ハウジング２０４内に回転自在に配されていると共に小歯車２０６に噛合ってロッド６１の一端部６２に固着された大歯車２０７とを具備しており、ロッド６１の一端部６２は、貫通孔９５を通っていると共に、Ｒ３及びＲ４方向に回転自在にハウジング２０４に支持されている。なお、プーリ２０３から玉チェーン２０１が外れないようにするために、プーリ２０３を取り囲むようにして外れ防止部２０８をハウジング２０４に一体的に設けてもよい。
【００５０】
図１２に示す手動操作手段６３では、玉チェーン２０１を手動操作により引っ張ってＶ１及びＶ２方向に走行させてプーリ２０３を回転させることにより、小歯車２０６及び大歯車２０７の回転を介してロッド６１を前記と同様にＲ３及びＲ４方向に回転させることができ、而して、窓枠８１に設置された障子９３を開閉しなくてもブラインド５による開口部１６の開閉を行い得、その上、貫通孔９４及び９５が形成された窓枠８１を用いるだけで、特に建物躯体８５に追加的に手を加えなくても設置することができる。
【００５１】
更に、上記のブラインド装置１と窓枠８１との構造では、ロッド６１の他端部６４に直接にベベルギヤ８７を固着して回転伝達手段６５を構成したが、これに代えて、図１３に示すように、ベベルギヤ８７とロッド６１の他端部６４との間に自在継手２１１を介在させて、自在継手２１１の一端部側をベベルギヤ８７に、その他端部側を操作棒６９の他端部６４に夫々連結して回転伝達手段６５を構成してもよく、この場合、自在継手２１１は、軸受６８を介してカバー部材６７に回転自在に支持されている。
【００５２】
図１３に示す回転伝達手段６５によれば、ブラインド装置１と窓枠８１との上下方向の位置関係を適宜に設定できる。
【００５３】
【発明の効果】
本発明によれば、障子を開閉しなくてもブラインドによる開口部の開閉を行い得、しかも、建物躯体に追加的に手を加えなくても設置することができるブラインド装置と窓枠との構造を提供することができる。
【図面の簡単な説明】
【図１】本発明の好ましい実施の形態の一例のブラインド装置の斜視図である。
【図２】図１に示す例のブラインド装置と窓枠との構造における一方の縦枠側の一部縦断面説明図である。
【図３】図１に示す例の横断面説明図である。
【図４】図１に示す例の一方の縦枠側の一部縦断面説明図である。
【図５】図１に示す例の一方の縦枠内の詳細説明図である。
【図６】図５の一部拡大説明図である。
【図７】図１に示す例の一方の縦枠の横断面説明図である。
【図８】図１に示す例の動作説明図である。
【図９】図１に示す例の動作説明図である。
【図１０】図１に示す例の動作説明図である。
【図１１】図１に示す例の動作説明図である。
【図１２】本発明の好ましい実施の形態の他の例の説明図である。
【図１３】本発明の好ましい実施の形態の更に他の例の説明図である。
【符号の説明】
１  ブラインド装置
２、３  縦枠
４  スラット
５  ブラインド
７  リンク機構
５４  プーリ
５６  ベルト
５７  手動回転手段
６１  ロッド
６３  手動操作手段
６５  回転伝達手段
８１  窓枠
８２  窓
８３  室外側
８５  建物躯体
８６  室内側
【図１】
0003823850.tif 000002
【図２】
0003823850.tif 000003
【図３】
0003823850.tif 000004
【図４】
0003823850.tif 000005
【図５】
0003823850.tif 000006
【図６】
0003823850.tif 000007
【図７】
0003823850.tif 000008
【図８】
0003823850.tif 000009
【図９】
0003823850.tif 000010
【図１０】
0003823850.tif 000011
【図１１】
0003823850.tif 000012
【図１２】
0003823850.tif 000013
【図１３】
0003823850.tif 000014